(57)【要約】      （修正有）【課題】長尺物品を巻き取った後に、簡便に結束を行って一体として纏めた上で容易に取り出すことが可能な、ケーブルなどの長尺物品巻き取り機を提供する。【解決手段】長尺物品巻き取り機は、ドラム部５００と、ドラム部の両端面側に配置される第１端面部１００と第２端面部２００とを備え、ドラム部は外径を拡縮可能に構成すると共に、外表面の第１端面部と第２端面部とを結ぶ方向に複数の結束バンド通し溝５７３を有し、第１端面部は、ドラム部の最大外径以上の半径を有する円形状であると共に、周縁部から中心方向に向かい複数の結束バンド通し溝に連通する、複数の結束バンド通しスリット１０３を有し、第２端面部は、ドラム部の最小外径以下の半径を有する円形状である。【選択図】図１
0003233250.tif 000002
【実用新案登録請求の範囲】
【請求項１】
ドラム部と、前記ドラム部の両端面側に配置される第１端面部と第２端面部とを備え、
前記ドラム部は外径を拡縮可能に構成すると共に、外表面の前記第１端面部と前記第２端面部とを結ぶ方向に複数の結束バンド通し溝を有し、
前記第１端面部は、前記ドラム部の最大外径以上の半径を有する円形状であると共に、周縁部から中心方向に向かい前記複数の結束バンド通し溝に連通する、複数の結束バンド通しスリットを有し、
前記第２端面部は、前記ドラム部の最小外径以下の半径を有する円形状である、
ことを特徴とする長尺物品巻き取り機。
【請求項２】
前記ドラム部は、円筒形状の輪郭を有し、
前記円筒形状の主軸上に配置され、周方向に複数の広げるカムが配置される中心軸部と、
前記中心軸部の周囲に前記中心軸部と平行に配置され、前記第１端面部と前記第２端面部との間に固定される複数の軸方向支持部と、
前記軸方向支持部に前記中心軸部から径方向に摺動可能に接続された複数の摺動部と、
前記摺動部の前記中心軸部とは反対側に配置され、前記円筒形状の輪郭を形成し、外表面に前記結束バンド通し溝が設けられた複数の側面形成部とから構成され、
前記中心軸部は、一方の端部が前記第１端面部に回動可能に接続され、他の一方の端部には、前記第２端面部を貫通して末端側に前記中心軸部を回動させるハンドルが設けられ、
前記ハンドルには回動固定ピンが設けられ、前記回動固定ピンは、前記中心軸部の回動範囲の末端で、弾性体を用いて前記第２端面部上に設けられた保持孔に前記ハンドルを係止させるための突起であり、
前記中心軸部に設けられた複数の広げるカムは、前記中心軸部の回動に応じて、前記摺動部に対向する前記中心軸部の半径を拡縮させ、これに応じて、前記側面形成部が構成する前記ドラム部の円筒形状の輪郭の外径を拡縮する、請求項１に記載の長尺物品巻き取り機。
【請求項３】
前記長尺物品はケーブルである、請求項１又は２に記載の長尺物品巻き取り機。
【請求項４】
前記ドラム部を前記第１端面部の側から回動可能に保持する支持体を備える請求項１乃至３のいずれか１項に記載の長尺物品巻き取り機。
【考案の詳細な説明】
【技術分野】
【０００１】
本考案は、ケーブルやワイヤなどの長尺の物品の巻き取りを行うと共に、巻き取った後に、簡便に結束を行って機器から取り外すことが可能な、長尺物品巻き取り機に関するものである。
【背景技術】
【０００２】
ケーブルやワイヤなどの線状の部材、或いはホースなどの長尺の物品（以下これら線状の部材や長尺の物品を総称する趣旨で、長尺物品という場合が有る）を製造した場合には、これらを一定程度の長さに纏めることで、運搬や販売などの際の取り扱いを容易にする事等が行われている。
【０００３】
また、このように纏められた長尺物品を使用する場合には、例えば、ケーブルが接続されたマイクや、ホースが接続された散水ノズルなどの、長尺物品が接続された器具では、使用後に、これらが接続されていた長尺のケーブルやホース等を巻き取って、これを結束すること等によってほどけない様に個別に纏めた上で収納すること等が行われる場合が有る。
【０００４】
そのため、このように、ケーブルやワイヤ、或いは、ホースなどの長尺物品を巻き取った上で、簡便に取り外して纏めることができる機器が必要とされている。
【０００５】
そこで、このような機器として、例えば、実開昭６４−２００１２号公報（特許文献１）に記載されたような、「ケーブル巻き取り器」や、実開平３−８９０６４号公報（特許文献２）に記載されたような、「ケーブル巻き取りドラム」が、開示されている。
【０００６】
このうち、特許文献１では、「ケーブルの端部を挟むためのテーパー部で所定の間隔を保ってねじ止めされてなるドラム状の巻き取り部と、受け台把手の設けてある巻き取り受け台本体とが、巻き取り部の逆回転防止用の歯車と歯車止め爪を介して固定金具で着脱可能に取り付けられ、前記巻き取り部には、巻き取り部を回転する巻き取り把手を設けてなることを特徴とするケーブル巻き取り器」が開示されている。
【０００７】
そして、特許文献１に開示された技術では、「巻き取りが終わったならばビニールロープ等で巻き取ったケーブルを結束」し、「結束し終えたならば巻き取り部１１を取り出し、ケーブルの束を取り出す」ように構成されている。
【０００８】
また、特許文献２では、「巻胴の片側に鍔を取り付けた複数のドラム半体を同一方向に向けて回転シャフトに順次挿通すると共に、最後に一枚の鍔を挿通することによって連続する複数のドラムを構成するようにしたことを特徴とするケーブル巻き取りドラム」が開示されている。
【０００９】
そして、特許文献２に開示された技術では、ドラムにケーブルを巻き取った後にケーブルを針金で結束し鍔の一方を取り外して、結束したケーブルの束を取り外すように構成されている。
【先行技術文献】
【特許文献】
【００１０】
【特許文献１】実開昭６４−２００１２号公報
【特許文献２】実開平３−８９０６４号公報
【考案の概要】
【考案が解決しようとする課題】
【００１１】
特許文献１に開示された技術では、ケーブルはドラム状の巻き取り部の周りに巻き取られており、当該ドラムは、巻き取り部１１を構成するフレームに取り囲まれている。
【００１２】
そのため、特許文献１に開示された技術では、巻き取ったケーブルを結束する際には、フレームの間からドラムに巻き取られたケーブルの内側と外側とに結束用のビニールロープ等を通す必要が有り、フレームが邪魔になって、簡便に結束することは困難であった。
【００１３】
また、このように結束したケーブルを取り出すためには、巻き取り部１１を構成するドラムを巻き取り受け台本体１から取り外す必要が有る。そのため、このような場合には、巻き取り部１１を巻き取り受け台本体１から取り外し、更に、複数の箇所でねじ止めされた巻き取り部１１のフレームの一部を取り外さなければならず、手間が掛かっていた。また、このような作業に続けて、他のケーブルも纏めようとする場合には、取り外したフレームを更にねじ止めして元に戻してから巻き取り作業を行う必要が有ることから、連続して同様の作業を行う場合にも多大な手間が掛かるという課題が有った。
【００１４】
また、特許文献２に開示された技術では、一つの軸に複数の巻胴がある事から、複数のケーブルを一度に巻き回すことが可能になるという利点はある。しかし、巻き取ったケーブルを束ねて纏めるためには、予め、「各ドラム半体２が連結された状態に於いて、前記各鍔１ｂ及び単体の鍔４の周縁近傍に設けた透孔８を介して結束用の針金７を挿通してドラム半体２に沿わせ」る必要が有った。そのため、巻き取り量の変動などに応じて巻き取ったケーブルを結束しようとする場合には、結束用の針金の長さをそれに応じて調整できないため使い勝手が悪かった。更に、巻き取ったケーブルを取り出すためには、ハンドルＨ側から取り付けられている鍔１ｂを順番に取り外す必要が有ることから手間が掛かり、ケーブル等を巻き取った後に、簡便に結束を行って纏めるという課題の解決には十分に応えるものでは無かった。
【００１５】
そこで、本考案は、上記のような課題を解決することを目的としたものであり、ケーブルやワイヤなどの長尺物品の巻き取りを行う場合に、巻き取った後に、簡便に結束を行って一体として纏めた上で容易に取り出すことが可能な、ケーブルなどの長尺物品巻き取り機を提供することを課題とする。
【課題を解決するための手段】
【００１６】
上記課題を解決するために本考案は、ドラム部と、前記ドラム部の両端面側に配置される第１端面部と第２端面部とを備え、前記ドラム部は外径を拡縮可能に構成すると共に、外表面の前記第１端面部と前記第２端面部とを結ぶ方向に複数の結束バンド通し溝を有し、前記第１端面部は、前記ドラム部の最大外径以上の半径を有する円形状であると共に、周縁部から中心方向に向かい前記複数の結束バンド通し溝に連通する、複数の結束バンド通しスリットを有し、前記第２端面部は、前記ドラム部の最小外径以下の半径を有する円形状である、ことを特徴とする長尺物品巻き取り機を提供する。
【００１７】
また、上記課題の解決は、前記ドラム部は、円筒形状の輪郭を有し、前記円筒形状の主軸上に配置され、周方向に複数の広げるカムが配置される中心軸部と、前記中心軸部の周囲に前記中心軸部と平行に配置され、前記第１端面部と前記第２端面部との間に固定される複数の軸方向支持部と、前記軸方向支持部に前記中心軸部から径方向に摺動可能に接続された複数の摺動部と、前記摺動部の前記中心軸部とは反対側に配置され、前記円筒形状の輪郭を形成し、外表面に前記結束バンド通し溝が設けられた複数の側面形成部とから構成され、前記中心軸部は、一方の端部が前記第１端面部に回動可能に接続され、他の一方の端部には、前記第２端面部を貫通して末端側に前記中心軸部を回動させるハンドルが設けられ、前記ハンドルには回動固定ピンが設けられ、前記回動固定ピンは、前記中心軸部の回動範囲の末端で、弾性体を用いて前記第２端面部上に設けられた保持孔に前記ハンドルを係止させるための突起であり、前記中心軸部に設けられた複数の広げるカムは、前記中心軸部の回動に応じて、前記摺動部に対向する前記中心軸部の半径を拡縮させ、これに応じて、前記側面形成部が構成する前記ドラム部の円筒形状の輪郭の外径を拡縮する、ことにより、或いは、前記長尺物品はケーブルである事により、或いは、前記ドラム部を前記第１端面部の側から回動可能に保持する支持体を備えることにより、更に効果的に達成される。
【考案の効果】
【００１８】
本考案では、ケーブル等の長尺物品を巻き取るドラム部の外径を拡縮可能に構成し、かかるドラム部の両端面側に第１端面部と第２端面部側を配置し、かかるドラム部の外表面について当該第１端面部と第２端面部とを結ぶ方向に複数の結束バンド通し溝を設け、更に、第１端面部の周縁部から中心方向に向かって、ドラム部外周に設けられた複数の結束バンド通し溝に連通するように複数の結束バンド通しスリットを設けている。
【００１９】
そのため、本考案では、ドラム部の外径を拡大させた上でドラム部の廻りにケーブル等を巻き回し、巻き回したケーブルを結束バンド通し溝や結束バンド通しスリットを介して、簡便に結束することが可能である。
【００２０】
そして、このようにドラムに巻き廻して結束されたケーブルは、ドラム部の外径を縮小させることで、容易に取り外しが可能である。
【００２１】
したがって、本考案によれば、ケーブルやワイヤなどの長尺物品の巻き取りを行う場合に、巻き取った後に、簡便に結束を行って一体として纏めた上で容易に取り出すことが可能な、ケーブルなどの長尺物品巻き取り機を提供することが可能である。
【図面の簡単な説明】
【００２２】
【図１】本考案による長尺物品巻き取り機の構成例１０００の外観構成の概要を示した斜視図である。
【図２】ドラム部が構成する円筒形状の半径を拡大して長尺物品をドラム部周囲に巻き回す様子を概念的に示した斜視図である。
【図３】ドラム部が構成する円筒形状の半径を縮小して長尺物品をドラム部から取り出す様子を概念的に示した斜視図である。
【図４】本考案の構成例１０００において、ドラム部の更に詳細な構造を示した図であり、図4（A）は、図1に示したX−X線におけるドラム部の断面図であり、図４（B）は、図1におけるY−Y線におけるドラム部の断面図である。
【図５】本考案の構成例１０００における第２端面部に設けられたハンドルの方向からドラム部の第２端面部側を見た場合の例を示した平面図であり、図５（A）は、ドラム部を拡大させた状態におけるハンドルの位置を示し、図５（B）は、ドラム部を縮小させた状態におけるハンドルの位置を示したものである。
【図６】一組の広げるカムと摺動部における、広げるカムの回動と摺動部の摺動との関係を概念的に示した図である。
【図７】図１に示したような構成例において、ドラム部の輪郭を縮小させた例を図４と同様に示したものである。
【図８】ドラム部を縮小させた場合の例を示した一部に半断面及び透視図を含む斜視図である。
【図９】本考案による構成例１０００に支持体を設けた例を示す斜視図である。
【考案を実施するための形態】
【００２３】
本考案は、基本的には、外径を拡縮可能なドラム部を用い、外径を拡大されたドラム部の周囲にケーブル等の長尺物品を巻き取って、これを結束バンド通し溝等を利用して結束バンドで一体として纏め、纏められた長尺物品をドラム部を縮小させることにより、容易に取り出せるように構成されたものである。
【００２４】
そこで、以下では、このような本考案による長尺物品巻き取り機について、図面を参照しつつ詳細に説明する。
【００２５】
なお、以下の説明では、同一の構成要素については、他の形態を採り得るものについても同一の記号を用いる場合があり、重複する構成の説明や記号等については、一部省略する場合がある。また、図面に示す各構成要素の大きさや相互の比率などは、説明の便宜のために実際のものとは異なって拡大或いは強調している場合もあり、図面の一部については、分かり易くするために表現を省略している場合もある。
【００２６】
図１は本考案による長尺物品巻き取り機の構成例１０００の外観構成の概要を示した斜視図である。
【００２７】
本考案は、基本的には、構成例１０００に例示したように、ドラム部５００と、当該ドラム部５００の両端面側に配置される第１端面部１００と第２端面部２００とドラム部５００の拡縮操作用のハンドル３００とから構成されている。
【００２８】
そして、これらの構成要素のうち、ドラム部５００は、概ね円筒形状の輪郭を有しており、外径を拡縮可能に構成すると共に、外表面のうち、第１端面部１００と第２端面部２００とを結ぶ方向に、複数の結束バンド通し溝５７３を有している。
【００２９】
更に具体的には、ドラム部５００の外観は、図1に例示したように、ケーブルなどの長尺物品９００をその表面に巻き取ることができるように、概ね円筒形状の輪郭を構成するように設けてあり、かかる円筒形状の周方向にケーブル等の長尺物品９００を巻き取る様になっている。
【００３０】
ここで、本願考案の上記構成例１０００では、ドラム部５００の外観は円筒形状に構成されているが、ドラム部５００の周囲にケーブル等の長尺物品９００を巻き取ることが可能であれば、その外観形状は、円筒形状に限らず任意の形状を選択することが可能である。
【００３１】
そのため、例えば、本構成例１０００で示したように、後述する側面形成部５７０を複数組み合わせて構成されたものでも良いし、或いは、軸方向から見た断面が三角形等の多角形を含む角柱状の輪郭を有する形態であっても構わない。
【００３２】
また、本考案においては、ドラム部５００が拡縮可能に構成されている。ドラム部５００を拡縮可能に構成することで、巻き取った長尺物品９００を容易に取り外すことができるようにするためである。
【００３３】
そこで、本考案においては、例えば、後述するように、軸方向周りに広げるカム５１３を設けて、ハンドル操作により中心軸部５１０を一定範囲に回動させて、側面形成部５７０の内側に接続された摺動部５５０を径方向に摺動させることにより、当該側面形成部５７０が構成する円筒形状の側面が拡幅できるように構成することも可能である。
【００３４】
なお、本構成例ではハンドル３００をドラム部５００の拡縮手段の一部として用いているが、当該拡縮手段については任意の手段を選択することが可能であるため、採用する拡縮手段によっては、上記のようなハンドル３００は必ずしも必須のものではない。
【００３５】
そして、かかるドラム部５００の外表面は、後述するような複数の側面形成部５７０から構成されており、かかる側面形成部５７０は、複数個が集まって円筒形状の輪郭を構成している。
【００３６】
また、こうしたドラム部５００の外表面である側面形成部５７０の外表面のうち、円筒形状を構成する両端面の側に形成された第１端面部１００側と第２端面部２００との間の方向には、当該第１端面部１００と第２端面部２００とを結ぶ方向に、複数の結束バンド通し溝５７３が形成されている。
【００３７】
かかる結束バンド通し溝５７３は、上述のように、ドラム部５００の外表面側に形成されており、更に詳細には、ドラム部５００が構成する円筒形状の表面を当該ドラム部５００が構成する円筒形状の中心軸部５１０が作る軸線に平行であって、第１端面部１００と第２端面部２００とを結ぶ方向に、外表面から窪んだ溝として形成されている。
【００３８】
このような結束バンド通し溝５７３を設けるのは、本考案では、ドラム部５００の周囲の円周方向にケーブルなどの長尺物品９００を巻き回した後に、当該巻き回した長尺物品９００の内側に結束バンド６００を挿通させて長尺物品９００を結束可能にするためである。
【００３９】
そして、このような結束バンド通し溝５７３の作る溝の大きさは、巻き取ることを想定する長尺物品９００の種類に応じた結束バンド６００を通過させることができる程度に設けられる。
【００４０】
また、かかる結束バンド通し溝５７３は、後述するように、第１端面部１００に形成された結束バンド通しスリット１０３と連通するように構成されている。すなわち、結束バンド通し溝５７３と結束バンド通しスリット１０３とが連なって、その内側を結束バンド６００が通り易いようになっている。
【００４１】
そのため、このように構成することにより、結束バンド通し溝５７３と結束バンド通しスリット１０３とは、かかる結束バンド６００を巻き取った長尺物品９００の外側と内側との双方にかけて差し渡すことにより、長尺物品９００の結束を行い、長尺物品９００を一体的に纏める事が容易になるように構成されている。
【００４２】
次に、ドラム部５００の略円筒形の輪郭の両端面側には、第１端面部１００と第２端面部２００との２つの端面部が配置されている。
【００４３】
かかる２つの端面部のうち、第１端面部１００は、ドラム部５００にケーブル等の長尺物品９００を巻き回した場合に、巻き回した長尺物品９００が当該第１端部側でほどけない様に支持する鍔としての機能を有している。
【００４４】
そのため、かかる第１端面部１００は、少なくとも外径が拡縮可能に構成されたドラム部５００の最大外径以上の半径を有する円形状を有しており、巻き回しを想定する長尺物品９００の種類と巻き回そうとする長さに応じてかかる円形状の最大の大きさが決定される。
【００４５】
また、第１端面部１００は、その周縁部から中心方向に向かって、上述した側面形成部５７０に設けられた複数の結束バンド通し溝５７３に連通する複数の結束バンド通しスリット１０３が設けられている。かかる結束バンド通しスリット１０３は、第１端面部１００の周縁部から中心部に向かって設けられた結束バンドを通すことができる程度の隙間である。
【００４６】
本考案では、ドラム部５００にケーブルなどの長尺物品９００を巻き回した後に、結束バンド６００を用いて巻き取った長尺物品９００を一体に纏めるように構成されている。そのため、かかる結束バンド通しスリット１０３を設けることにより、巻き取った長尺物品９００の側面方向から、巻き取った長尺物品９００が構成する輪の内側乃至外側に結束バンドを通し易いようになっている。
【００４７】
そして、かかる結束バンド通しスリット１０３は、第１端面部１００の外周から、中心軸部５１０方向に設けられていて、その末端は、上述のように、拡幅された状態にあるドラム部５００の外表面に形成された結束バンド通し溝５７３に連通するように構成されている。
【００４８】
次に、かかるドラム部５００の第１端面部１００側と反対側の他の端面側には、第２端面部２００が設けられている。かかる第２端面部２００の位置には、一般的には、第１端面部１００と同様の端面が設けられることが多いが、本考案の場合には、一般的な構成とは異なり、巻き取ったケーブルなどの長尺物品９００を当該第２端面部２００側から抜き取ることを前提としている。
【００４９】
そのため、当該第２端面部２００側の最大外径は、少なくとも外径が拡縮可能に構成されたドラム部５００の最小半径以下の半径を有する円形状に構成され、巻き取ってまとめた長尺物品９００が第２端面部２００側から当該第２端面部２００にひっかかる事無く取り出せるように構成されている。
【００５０】
また、第２端面部２００には、ドラム部５００の拡幅を行う際に使用されるハンドル３００と、当該ハンドル３００に設けられた回動固定ピン３０３とを用いて、ドラム部５００を最大拡大範囲及び最小拡縮範囲で固定しておくための保持孔２０３が設けられている。
【００５１】
そのため、以上のように構成される本考案では、例えば、図２及び図３に示されるような手順で、長尺物品９００の巻き取りと取り出しとが行われる。
【００５２】
ここで、図2は、ドラム部５００が構成する円筒形状の半径を拡大して長尺物品９００をドラム部５００の周囲に巻き回す様子を概念的に示した斜視図である。
【００５３】
本考案においては図2（A）に示すように、ドラム部５００を構成する円筒部を拡大させて、その周囲に長尺物品９００を巻き回す。ここで、図2（A）は、このように、ドラム部５００に長尺物品９００を巻き回している途中の状態を示す斜視図である。そして巻き回し方には特に限定を設けるものでは無いが、例えば、巻き回そうとする長尺物品９００の一端をドラム上の第1端面側に結束バンド通しスリット１０３などの一部を利用して仮固定し、ドラム部５００の外表面上に巻き回す。
【００５４】
そして、次に図2（B）に示すように、長尺物品９００をドラム部５００の周囲に巻き回した後は、これを纏めるための結束バンド６００を、結束バンド通しスリット１０３や結束バンド通し溝５７３などを用いて当該巻き回した長尺物品９００の廻りに巻き回す。ここで、図2は（B）は、ドラム部５００に巻き取った長尺物品９００の廻りに結束バンド６００を掛ける途中の状態を示した斜視図である。
【００５５】
そして、このように結束バンド６００を掛ける事によって、図2（C）に示すように、長尺物品９００に巻き回した結束バンド６００により、当該長尺物品９００を一体的に纏める事が可能である。ここで図２（C）は、結束バンドにより長尺物品９００を一体的に纏めた状態を示す斜視図である。
【００５６】
次に、このように一体的にまとめられた長尺物品９００は、図３に示すように、ドラム部５００を構成する円筒部を縮小させて、取り出すことが可能である。ここで、図３は、ドラム部５００が構成する円筒形状の半径を縮小して長尺物品９００をドラム部５００から取り出す様子を概念的に示した斜視図である。
【００５７】
本考案では、図３（Ａ）に示したように、ドラム部５００の廻りに、結束バンド６００により一体的にまとめられた長尺物品９００は、図中の白抜きの矢印で示したように、ドラム部５００を縮小することにより、巻き回した長尺物品９００とドラム部５００との隙間を拡大して、当該長尺物品９００を取り出し易くする構成になっている。ここで、図３（Ａ）は、長尺物品９００を取り出し易くするために、ドラム部５００の外径を拡縮する動作を示した斜視図である。
【００５８】
そして、このようにドラム部５００の外径を縮小した後には、長尺物品９００とドラム部５００との間に隙間ができるために、第２端面部２００側から、図３（Ｂ）の図中の白抜きの矢印で示したように、一体に纏めた長尺物品９００の束を取り出すことが可能である。ここで、図３（Ｂ）は、ドラム部５００の外径を縮小した後に長尺物品９００を取り出す様子を示す斜視図である。
【００５９】
そのため、以上のように、本考案においては、ドラム部５００の外径を拡大させた上でドラム部５００の廻りにケーブル等を巻き回し、巻き回したケーブルを結束バンド通し溝５７３や結束バンド通しスリット１０３を介して、簡便に結束することが可能である。
【００６０】
そして、このようにドラム部５００に巻き廻して結束されたケーブル等の長尺物品９００は、ドラム部５００の外径を縮小させることで、容易に取り外しが可能である。
【００６１】
したがって、本考案によれば、ケーブルやワイヤなどの長尺物品９００の巻き取りを行う場合に、巻き取った後に、簡便に結束を行って一体として纏めることが可能な、ケーブルなどの長尺物品９００巻き取り機を提供することが可能である。
【００６２】
次に、本考案において用いることが可能な、ドラム部５００の拡縮機構の例について説明する。
【００６３】
図４は、本考案の構成例１０００において、ドラム部５００の更に詳細な構造を示した図である。そして、図4（A）は、図1に示したX−X線におけるドラム部５００の断面図であり、図４（B）は、図1におけるY−Y線におけるドラム部５００の断面図である。なお、ここでは、ハンドル３００の部分に設けられる弾性体３０５については、図１に示したものとは異なる構成を例示したものに置き換えている。また、図１は、ドラム部５００が拡大された状態を示しているために、図４でも同様に拡大された状態を示しており、ドラム部５００を縮小した状態の同様の図については図７に記載している。
【００６４】
本考案による構成例１０００の例では、ドラム部５００は、更に単一の中心軸部５１０と、複数の軸方向支持部５３０と、複数の摺動部５５０と、上述の側面形成部５７０とから構成されており、更に中心軸部５１０の第２端面部２００側にはハンドル３００と回動固定ピン３０３及び弾性体３０５とが設けられ、当該第2端面部２００には回動固定ピン３０３の先端にあるピン部３０３Pを固定するための保持孔２０３が設けられている。
【００６５】
これらのドラム部５００の構成要素のうち、中心軸部５１０は、円筒形状の輪郭を有する上記ドラム部５００の主軸上、すなわちドラム部５００を円筒とした場合の両端面の円の中心を結んだ軸上に形成される。
【００６６】
また、当該中心軸部５１０は、上述のように、一方の端部が第１端面部１００に回動可能に接続されて、他の一方の端部が更に第２端面部２００を貫通して延伸し、その末端側には当該中心軸部５１０を一定範囲内で回動させるためのハンドル３００が設けられている。
【００６７】
当該ハンドル３００は、ドラム部５００を拡縮する操作を行う際に用いるものであり、当該ハンドル３００には先端にピン部３０３Ｐを有する回動固定ピン３０３が設けられていて、当該回動固定ピン３０３は第２端面部２００側に弾性体３０５により押し付けられて、後述する中心軸部５１０の回動範囲の末端で、第２端面部２００上に設けられた保持孔２０３に嵌め込まれることで、上記ハンドル３００を係止できるようになっている。
【００６８】
なお、ここで、ハンドル３００と回動固定ピン３０３及び弾性体３０５との構成については、特に限定を設けるものでは無い。そのため、例えば、図1に示したようにハンドルと第２端面部２００との間に弾性体３０５を設けて、ハンドル３００に設けた回動固定ピン３０３の先端のピン部３０３Ｐが弾性体３０５により、第２端面部２００の保持孔２０３に押圧されている状態を保っており、拡縮操作をする場合には、第２端面部２００側からハンドル３００を引き寄せて回動固定ピン３０３の先端を引き抜く様な操作を行うような構成にしても良い。
【００６９】
また、或いは、図４（B）で示したように、ハンドル３００と回動固定ピン３０３との間にこれらを反発させる弾性体３０５を設け、常時ピン部３０３Ｐを保持孔２０３に押圧させ、回動固定ピン３０３をハンドル３００方向に引き寄せることで、第２端面部２００の保持孔２０３に嵌め込まれていた回動固定ピン３０３のピン部３０３Ｐを引き出して操作する構造のものとしても構わない。
【００７０】
また、かかる中心軸部５１０には軸方向に沿って、第１端面部１００と第２端面部２００との間に、例えば、２つの部分に複数の広げるカム５１３が設けられている。
【００７１】
ここでいう広げるカム５１３は中心軸部５１０のうち後述する摺動部５５０の内縁が接する特定の位置で、当該中心軸部５１０の円周上に配置されたものであり、広げるカムの低段部分５１３Ｌの位置から、高段部分５１３Ｈの位置まで、滑らかに上昇し、その後下降する、翼型形状を円周上に張り付けたような断面を有する複数の突起である。
【００７２】
そして、かかる複数の広げるカム５１３は、後述するようにハンドル操作により中心軸部５１０廻りに回動させることで、摺動部５５０に接している部分で、中心軸部５１０の外径を実質的に拡縮し、これを通じて、側面形成部５７０による円筒形状の輪郭の外半径を拡縮して支持する構造となっている。
【００７３】
次に、ドラム部５００の構成要素のうち軸方向支持部５３０は、中心軸部５１０の周囲に中心軸部５１０と平行に複数が配置され、第１端面部１００と第２端面部２００との間に固定される部材である。
【００７４】
そのため軸方向支持部５３０は第１端面部１００と第２端面部２００とを結びつけて固定することでドラム部５００の基本形態を維持して、側面形成部５７０や摺動部５５０等が稼働する際の支持体として機能する。
【００７５】
また、軸方向支持部５３０の長手方向に対して垂直の断面は、短辺側が半円形状に構成された長方形状になっており、当該長方形状の長手方向に沿って、摺動部５５０が摺動できるように構成されている。そのため、軸方向支持部５３０の外面には、摺動部５５０が摺動方向からずれない様に、すなわち、摺動方向に対して垂直方向に摺動部５５０がずれない様に、当該摺動部５５０を両側面から支持するように突起状の摺動支持体５３３が設けられている。なお、かかる摺動支持体５３３は、軸方向支持部５３０と摺動部５５０とが位置ずれを生じないように形成されるものであるため、その機能を達するものなら、摺動部５５０側に設けても構わない。
【００７６】
次に、ドラム部５００の構成要素のうち摺動部５５０は、上述した軸方向支持部５３０に摺動可能に支持された複数の部材であり、摺動部５５０に設けられた摺動孔５５３内に軸方向支持部５３０が貫通するようになっていて、上述した広げるカム５１３の動きに連動して、中心軸部５１０から径方向に摺動可能に構成されている。
【００７７】
本考案では、こうした構成を採用する事により当該摺動部５５０を中心軸部５１０の広げるカム５１３で径方向に移動させて側面形成部５７０によって構成されるドラム部５００の外径の拡縮を行う構成となっている。
【００７８】
そのため、かかる摺動部５５０の外形は、頂角が丸みを帯びた概ね二等辺三角形状の平板状に構成されており、かかる二等辺三角形状の底辺部分には側面形成部５７０が接続され、頂角部分には中心軸部５１０の周囲に設けられた広げるカム５１３が接触するようになっている。
【００７９】
また、かかる摺動部５５０の中央部分である二等辺三角形状の頂角部分の内側から底辺部分の内側にかけては、軸方向支持部５３０の断面に対応するような、短辺側が半円形状に構成された長方形状の摺動孔５５３が形成されていて、当該摺動孔５５３を介して、摺動部５５０が軸方向支持部５３０に沿って摺動するように構成されている。
【００８０】
次に、ドラム部５００の構成要素のうち側面形成部５７０は、複数の側面形成部５７０が集まって、ドラム部５００の円筒形状の輪郭を構成する部分であり、ケーブルなどの長尺物品９００を周囲に巻き回せるように構成された部材である。
【００８１】
そのため、当該側面形成部５７０は、円筒形状の側面部分を構成するように概ね長方形状の平板を長手方向に垂直な方向で滑らかな曲面を形成するように折り曲げるように構成されており、当該曲面を構成する側面形成部５７０の内側部分には、当該曲面が形成された方向に沿って、上述した摺動部５５０の二等辺三角形状の底面部分が接続されている。
【００８２】
また側面形成部５７０の当該曲面の外側部分には、当該側面形成部５７０の長手方向に沿って、結束バンド通し溝５７３が形成されており、ドラム部５００の周囲に長尺物品９００を巻き回した後には、巻き取った長尺物品９００を結束バンド６００により結束し易く構成されている。
【００８３】
なお、構成例１０００に示した例では、結束バンド通し溝５７３は、側面形成部５７０の長方形状の２つの短辺間の中心を通る様に構成されているが、その位置に限定を設ける趣旨ではないため、第１端面部１００と第２端面部２００との間をつなぐように構成されていれば、必ずしも側面形成部５７０の上記中心を通るものでなくとも構わない。
【００８４】
次に、上記のような概ね円筒形状を有するドラム部５００の両端面部側の方向には、上述のように、第１端面部１００と第２端面部２００とが形成されている。そして、第１端面部１００は、ドラム部５００の最大外径以上の半径を有する円形状であると共に、周縁部から中心方向に向かい複数の結束バンド通し溝５７３に連通する複数の結束バンド通しスリット１０３を有している。
【００８５】
また、第２端面部２００は、上述のように、ドラム部５００の最小外径以下の半径を有する円形状であるが、更に第２端面部２００には、ハンドルによる中心軸部５１０の回動範囲の末端を予め決定しておき、ハンドル３００に付属する回動固定ピン３０３のピン部３０３Ｐを、ドラム部５００を拡大させた状態、或いは、縮小させた状態で保持するための２種類の保持孔２０３が設けられている。
【００８６】
そして当該２種類の保持孔２０３は、図５に示すように、ハンドル３００を回動範囲の末端の１つであるドラム部５００が拡大する側に係止する１組の拡大孔２０３Ｏと、同じくハンドル３００を回動範囲の他の末端であるドラム部５００が縮小する側に係止する１組の縮小孔２０３Cとに分けられる。
【００８７】
ここで、図５は、本考案の構成例１０００における第２端面部２００に設けられたハンドルの方向からドラム部５００の第２端面部２００側を見た場合の例を示した平面図であり、図５（Ａ）は、ドラム部５００を図中の白抜きの矢印の方向に拡大させた状態におけるハンドル３００の位置を示し、図５（Ｂ）は、ドラム部５００を図中の白抜きの矢印の方向に縮小させた状態におけるハンドル３００の位置を示している。
【００８８】
すなわち、本構成例１０００では、ドラム部５００の拡縮手段として、中心軸部５１０の円周上に広げるカム５１３を設け、当該広げるカム５１３を用いて、中心軸部５１０の外径の大きさを実質的に変化させ、これに接する複数の摺動部５５０が作る中心軸部５１０に内接する円の半径を変更することで、摺動部５５０に接続された側面形成部５７０の作るドラム部５００の外径を拡縮するように構成している。
【００８９】
そこで、本考案では図５に示したように、ハンドル３００を、保持孔２０３に嵌め込まれている回動固定ピン３０３を弾性体３０５に抗して引き上げた上で、一定の回動範囲内で回動させることにより当該ドラム部５００の拡縮操作を行っている。
【００９０】
そのため、例えば、図６に記載したように、一組の広げるカム５１３と摺動部５５０との関係を例にとると、中心軸部５１０の回動に連動して広げるカム５１３の上側に示した太線で示した矢印の範囲を摺動部５５０が上下に移動するために、次のように、側面形成部５７０の拡縮が行われる。ここで、図６は、一組の広げるカム５１３と摺動部５５０における、広げるカム５１３の回動と摺動部５５０の摺動との関係を概念的に示した図であり、太線による矢印は、広げるカム５１３の回動範囲を示し、当該広げるカム５１３の回動により、これに当接していた摺動部５５０がどのように摺動するかを示したものである。
【００９１】
なお、図６の例では、側面形成部５７０を４枚設けたことに対応して、広げるカム５１３の高段部分５１３Ｈから低段部分５１３Ｌまでの中心軸部５１０の回動範囲（回動角φ）を概ね４５度に設定して、この範囲内で一組の広げるカム５１３と摺動部５５０の部分が連動するように構成している。しかし、これに限らずに、回動角等は、側面形成部５７０の枚数などに応じて設定することが可能であり、そのため、例えば、回動範囲を限定せずに、ハンドル３００を連続して回転させることで、ドラム部５００の拡縮が行われる構成にしても構わない。
【００９２】
側面形成部５７０の拡縮についての説明に戻れば、図６（Ａ）に示すように、図中の広げるカム５１３の上面に沿った太線による矢印の左端側に摺動部５５０が位置している場合には、側面形成部５７０から中心軸部５１０の中心までの距離が、中心軸部５１０の半径に対して広がるカム５１３の高段側５１３Ｈの高さの分だけ拡大されている。
【００９３】
そのため、複数の側面形成部５７０が形成するドラム部５００による円筒形状の輪郭が拡大された状態にある。
【００９４】
その一方、図６（Ａ）に示すような状態から、ハンドル操作により、中心軸部５１０を図上で反時計回りの方向に回転させると、摺動部５３０と広げるカム５１３との接点が、広げるカム５１３の上面に沿った太線による矢印の右端側に移動すると同時に、かかる回動に伴い、摺動部５５０が摺動孔５５３を介して軸方向支持部５３０に支持されながらこれに沿って、中心軸部５１０の中心方向に移動する。
【００９５】
そのため、その結果として、図６（Ｂ）に示すように、摺動部５５０の位置が図中の白抜きの矢印のように中心軸部５１０の方向へ移動し、摺動部５５０と中心軸部５１０との接点が、広げるカム５１３の低段部分５１３Ｌ側若しくは広げるカム５１３の無い部分に移動するために、側面形成部５７０から中心軸部５１０の中心までの距離が、ほぼ広げるカムの高段側５１３Ｈの高さの分だけ低くなる。
【００９６】
したがって、このようなハンドル操作を行うことにより、図７及び図８に示したように、複数の側面形成部５７０が形成するドラム部５００による円筒形状の輪郭が縮小することになり、ドラム部５００を拡大した状態で巻きまわして結束バンド６００により纏めた長尺物品９００の取り出しを容易にすることが可能である。
【００９７】
なお、ここで、図７は、図１に示したような構成例１０００において、ドラム部５００の輪郭を縮小させた例を図４と同様に示したものであり、図８は、そのようにドラム部５００を縮小させた場合の例を示した一部に半断面及び透視図を含む斜視図である。
【００９８】
また、図６（Ｂ）に示すように、ドラム部５００が縮小された状態から図６（Ａ）に示したように、ドラム部５００が拡大された状態に戻すためには、上述のような縮小させる操作と逆の操作を行えば足りる。すなわち、図６（Ｂ）の状態にある中心軸部５１０を時計回りに回転させて、摺動部５５０と広げるカム５１３との接点を図６（Ａ）に示す太字の矢印の左側方向に移動させれば、摺動部５５０が図６（Ａ）の白抜きの矢印の方向に移動し、その結果、側面形成部５７０により構成されるドラム部５００の輪郭が拡大された状態にすることが可能である。
【００９９】
したがって、本考案においては、上述の例で示したようなドラム部５００の拡縮機構を用いることにより、更に効果的に、本考案の目的を達成することが可能である。
【０１００】
なお、上述の例は、本考案の構成例の一例を示したものであり、本考案の趣旨の範囲で、異なる構成例を採用することも可能である。
【０１０１】
そのため、例えば、本考案の上記構成例１０００をベースとして、図９に示すように、ドラム部５００を第１端面部１００の側から回動可能に保持する支持体（７００、７５０）を設けることも可能である。そして、その場合には、例えば、図９（Ａ）に示すように、支持体７００によりドラム部５００を水平に支持して、中心軸部５１０周りに回動できるように構成したり、或いは、図９（Ｂ）に示したように、ドラム部５００を、支持体７５０により垂直に支持して、中心軸部５１０周りに回動できるように構成したりして、巻き取りを容易にすることも可能である。
【符号の説明】
【０１０２】
１００    第１端面部
２００    第２端面部
２０３Ｏ  拡大孔（保持孔２０３）
２０３Ｃ  縮小孔（保持孔２０３）
１０３    結束バンド通しスリット
３００    ハンドル
３０３    回動固定ピン
３０３Ｐ  ピン部
３０５    弾性体
５００    ドラム部
５１０    中心軸部
５１３    広げるカム
５１３Ｈ  広げるカムの高段部分
５１３Ｌ  広げるカムの低段部分
５３０    軸方向支持部
５３３    摺動支持体
５５０    摺動部
５５３    摺動孔
５５５    支持突起
５７０    側面形成部
５７３    結束バンド通し溝
６００    結束バンド
７００    ７５０  支持体
９００    ケーブル等の長尺物品
１０００  長尺物品巻き取り機の構成例
φ        回動角
【図１】
0003233250.tif 000003
【図２】
0003233250.tif 000004
【図３】
0003233250.tif 000005
【図４】
0003233250.tif 000006
【図５】
0003233250.tif 000007
【図６】
0003233250.tif 000008
【図７】
0003233250.tif 000009
【図８】
0003233250.tif 000010
【図９】
0003233250.tif 000011